(57)【要約】【課題】  デパート、スーパー、ホームセンター、コンビニなどで採用されている陳列用商品掛け具の先端部から小さな子供、老人、身障者等のお客さんの顔面、目等を危険な怪我から守るために、従来のプライスカードホルダーに目を守る安全プロテクターをドッキングさせ価格の安い、取付け簡単であり、又、ダブルフックおよびシングルフックにも取付け可能な安全プロテクター付きプライスカードホルダーを提供する。【解決手段】  陳列用商品掛け具のダブルフックの先端部を保護するために、従来のプライスカードホルダーの取付部に新安全プロテクターを取付け、その新安全プロテクターにプライスカードホルダーを取付け合体させ、又着脱を可能な構造にしたことを特徴とする新安全プロテクター付きプライスカードホルダー。【選択図】図１
2010069274.tif 000002
【特許請求の範囲】
【請求項１】
陳列用商品掛け具のダブルフック並びにシングルフックの先端部を覆い、目、顔を危険なフックの先端部から保護し失明・顔面の怪我から保護するダブルフック、シングルフック兼用できる新安全プロテクタ−付きプライスカードホルダー。
【請求項２】
新安全プロテクターとプライスホルダーが合体、又は着脱も可能な構造にした請求項１記載の新安全プロテクター付きプライスカードホルダー。
【請求項３】
陳列用商品掛け具のダブルフック先端部の直角に上方向に曲がったプライスカードホルダー取付部に新安全プロテクターを取付けることを特徴とする請求項１〜２記載の新安全プロテクター付きプライスカードホルダー。
【請求項４】
新安全プロテクターとプライホルダーを射出成型機で一体成型した請求項１記載の新安全プロテクター付きプライスカードホルダー。
【請求項５】
新安全プロテクターは商品陳列用掛け具のシングルフックにも、一部部品を追加する事により、ダブルフックと同形状にする事により、５０〜５００ｍｍの長さのシングルフックに対応可能な請求項１〜４記載の新安全プロテクター付きプライスカードホルダー。
【請求項６】
新安全プロテクター付きプライスカードホルダーは新店舗は勿論、無数に有る既存店舗にも容易に取付け可能な子供、高齢者、健常者の目、顔面を保護する安全器具である請求項１〜５記載の新安全プロテクター付きプライスカードホルダー。
【請求項７】
新安全プロテクターとプライスホルダーカード取付け角度は３０〜１２０度の範囲内に取付け可能の請求項１〜６に記載した新安全プロテクター付きプライスカードホルダー。
【発明の詳細な説明】
【技術分野】
【０００１】  本発明は、デパート、スーパー、コンビニ、ホームセンター等で使用する商品掛け具の先端部を覆い顔面、目を保護する安全用品に関する。
【背景技術】
【０００２】  従来は、デパート、スーパー、コンビニ、ホームセンター等で商品を商品陳列用の取付けバーや格子等に陳列、配列するために、前方向へ商品を掛けるための掛け棒を設け、先端部は商品の出し入れを容易にするため、又、商品が前の方に落ちないために、やや上方へ屈曲している商品掛け具を使用している。従来の商品掛け具は、金属製の掛け具が前に斜め上に突出しているため、掛け具に吊り下げられた商品を確かめる等のために顔を近づける際、又、小さな子供が走り、高齢者がつまづいた際に目、顔面を傷つける恐れがあるという欠点とダブルフックとシングルフックが構造状兼用できなく金型が個別になり製作しなければならないため金型代が高価で償却が大変であった。
本発明は、以上のような欠点に鑑み、商品の出し入れを可能にしながら、買い物中や歩行中等に購買客や来訪者がケガなどをしない様に効率良く防止することができ、商品掛け具の先端部を保護し、又、安全プロテクター付きプライスカードホルダーを使用する事でダブルフックに使用できると同時に、一部部品を追加する事によりシングルフックの長物（２００ｍｍ〜５００ｍｍ位）にも対応出来、更に金型も兼用でき、安価に供給できるようにする事を目的としている。
次のような類似の特許公開などがある。
【特許文献３】  特開２００１−１６９８７６号公報  本出願人と同じ
【特許文献４】  特開２００７−３０７３２５号公報  本出願人と同じ
【発明の開示】
【発明が解決しよとする課題】
【０００３】  デパート、スーパー、コンビニ、ホームセンター等において、子供、老人、身障者が興す目の事故、顔面事故等で陳列用商品掛け具のフックの先端部の危険から目、顔を保護するものはあるが、取付け、価格、美観など問題が多く最適で安全な防止具が少なく、又フックの直径がまちまちで、該対応するにも金型、価格等様々な問題があり全ての直径のフックの先端部の安全を製造するのが困難である。又プライスカードホルダーは各種販売されているが、目や顔面を保護するためにはフックの先端部の前面にかなり出す関係で商品を隠し、美観が良くないためにあまり使用されていない。そこでプライスカードホルダーと安全プロテクターが合体、又は取付け取外しが容易にでき、既存の金型を修正・追加加工のみで良く、価格が安くなれば、新規フックのみならず、今までに多数使用されている既存のフックにも容易に取り付けられる安全プロテクター付きプライスカードホルダーである、又ダブルフックとシングルフックを同じ安全プロテクター付きプライスカードホルダーで保護できるものは、現時点ではそのような安全保護具はない。
本発明は、以上の問題点を解決するためのものである。
【課題を解決するための手段】
【０００４】  ダブルフックの陳列用商品掛け具本体１の直角に上方向に曲がった先端部に安全プロテクターホルダー３を取り付け、その安全プロテクターホルダー３にプライスカードホルダー４を挿入し、両者を合体して一体化した安全プロテクター付きプライスカードホルダ２ーにする。これによりプライスカード４も容易に取り付け、取外しが簡単で子供、高齢者、身障者の目と顔面を保護できるし、又ダブルフックだけでんく、シングルフックにもこの安全プロテクター付きプライスカードホルダー２が使用可能であり、金型が極端に安価に製作できる。これにより従来の問題点を全て解決できる。
【発明の効果】
【０００５】  従来の安全プロテクターとプライスカードホルダーを各射出成形機で成形し、各成形したものを合体し、安全プロテクターにプライスカードを挿入するようにしたので、プライスを取り付ける陳列用商品掛け具の全てのダブルフック、シングルフックに利用でき、子供、老人、身障者、動ける患者等がデパート、スーパー、コンビニ、ホームセンター等の店舗で安心して買物ができ、目や顔面を突然の事故から保護する新安全プロテクター付きプライスカードホルダーであり、安全面で大いに役立つと共に、取付け、取外しが極端に容易になり、ダブルフック、シングルフックにも兼用できるため、新規店舗、既存の店舗にも取付け可能で将来的には大いに期待できる効果があり安全に寄与出来る。
【発明を実施するための最良の形態】
【０００６】  ダブルフッグの陳列用商品掛け具本体において直角に上方向に曲がった先端部に新安全プロテクターホルダーを挿入し、該新安全プロテクターホルダーにプライスカードを挿入する。これにより、両者が合体して安全プロテクター付きプライスカードを形成、該安全プライスホルダーを取付ける事で子供、高齢者、身障者の目と顔面を保護できるし、現在使用されているダブルフック及びシングルフック両方に取付け可能な新安全プロテクター付きプライスカードホルダーである。
本発明は、以上の構成よりなっている。
【実施例】
【０００７】  陳列用商品掛け具の先端部を保護する安全プロテクターは、ヨーカー堂、ジャスコ、コクヨ、イトーキー、オカムラ、タテヤマアドバンス、赤ちゃん本舗等ですでに多数個実施されておるが、従来は、プライスカードホルダーと安全プロテクターが独立しており、別個に購入しなければ成らず、安全プロテクターは必要箇所のみにしか採用されなかった。しかし、この安全プロテクター付きプライスカードホルダーはプライスカードホルダーと安全プロテクターが着脱可能にしたので、新規のお店、又は既存の店頭にも容易に取付けが可能であり、更に現時点で使用されている既存のダブルフック、又、一部部品を追加する事でシングルフックの先端部に安全プロテクター付きプライスカードホルダーを現在の取付けてあるプライスカードホルダーと交換するだけであり、今後多数量の取付けが期待できる。
【産業上の利用可能性】
【０００８】  従来型のダブルタイプのフックには安全プロテクターはすでに大手スーパー等数に採用されており、今回の安全プロテクターは更に改良を加えており、従来より一段と進化しているため、デパート、スーパー、ホームセンター、コンビニ等での買物時における、子供、高齢者、身障者の顔面、目等に対する事故を保護するために開発された新安全商品であり産業上の利用可能性は将来大いに期待できる。又シングルタイプのフックの利用もプライスカードホルダーを取付ける軸を延ばしダブルフックタイプと同じ構造にすれば５０〜５００ｍｍまででも、安全ぷろてくたー付きプライスカードホルダーが取付け可能であれば対応できる為、全ての陳列用商品掛け具のフックに対応可能であり、金型を修正、追加するだけで、価格も安く、取付けも容易な新安全プロテクター付きプライスカードホルダーを世の中に提供できる。
本発明は、以上の構成よりなっている。
【図面の簡単な説明】
【０００７】
【図１】本発明の組立正面図。
【図２】本発明の組立平面図。
【図３】本発明の新安全プロテクター付きプライスカードホルダーの正面図。
【図４】本発明の新安全プロテクター付きプライスカードホルダーの平面図。
【図５】本発明の新安全プロテクター付きプライスカードホルダーの右側面図。
【図６】本発明の新安全プロテクターの正面図。
【図７】本発明の新安全プロテクターの平面図。
【図８】本発明の新安全プロテクターの右側面図。
【図９】本発明の新安全プロテクターの左側面図。
【図１０】本発明の新安全プロテクターの裏面図。
【図１１】本発明のプライスカードホルダーの正面図。
【図１２】本発明のプライスカードホルダーの背面図
【図１３】本発明のプライスカードホルダーの平面図。
【図１４】本発明のプライスカードホルダーの右側面図。
【符号の説明】
【０００８】１  ダブルフック陳列用商品掛け具本体
２  新安全プロテクター付きプライスカードホルダー
３  新安全プロテクターホルダー
４  プライスカードホルダー
５  プライスカード挿入部Ａ
６  プライスカード挿入部Ｂ
【図１】
2010069274.tif 000003
【図２】
2010069274.tif 000004
【図３】
2010069274.tif 000005
【図４】
2010069274.tif 000006
【図５】
2010069274.tif 000007
【図６】
2010069274.tif 000008
【図７】
2010069274.tif 000009
【図８】
2010069274.tif 000010
【図９】
2010069274.tif 000011
【図１０】
2010069274.tif 000012
【図１１】
2010069274.tif 000013
【図１２】
2010069274.tif 000014
【図１３】
2010069274.tif 000015
【図１４】
2010069274.tif 000016